(57)【要約】【課題】庫口枠のガスケットとの当接面より庫外側の部分の本体側となる箇所やその周辺の本体の外面材に生じる結露を効果的に抑制することができる貯蔵庫を提供する。【解決手段】本体１の開口３縁部に取り付けられた庫口枠５と、開口３を開閉自在に閉塞する扉２０と、この扉２０の内面周囲に取り付けられ、庫口枠５に当接するガスケット４とを備えた貯蔵庫において、庫口枠５の、ガスケット４が当接する位置よりも庫外側に位置する部分における本体１側に、結露防止用のヒータを庫外側より収納可能なヒータ収納部を形成した。【選択図】図２
2011094917.tif 000002
【特許請求の範囲】
【請求項１】
本体の開口縁部に取り付けられた庫口枠と、前記開口を開閉自在に閉塞する扉と、この扉の内面周囲に取り付けられ、前記庫口枠に当接するガスケットとを備えた貯蔵庫において、
前記庫口枠の、前記ガスケットが当接する位置よりも庫外側に位置する部分における前記本体側に、結露防止用のヒータを庫外側より収納可能なヒータ収納部を形成したことを特徴とする貯蔵庫。
【請求項２】
前記ヒータ収納部は庫外側に開口しており、この開口を開閉自在に閉塞するカバーを設けたことを特徴とする請求項１に記載の貯蔵庫。
【請求項３】
前記カバーは、一端のヒンジ部にて前記庫口枠に一体に形成され、他端には前記庫口枠に係脱自在に係合する係合部を備えることを特徴とする請求項２に記載の貯蔵庫。
【請求項４】
前記ヒンジ部は、前記係合部よりも前記本体側に位置することを特徴とする請求項３に記載の貯蔵庫。
【請求項５】
前記扉には、前記ガスケットよりも庫内側に位置して先端が当該ガスケットに当接する軟質ヒレを設けたことを特徴とする請求項１乃至請求項４のうちの何れかに記載の貯蔵庫。
【請求項６】
前記扉は、外面材と、内面材と、これら面材を接続する樹脂製ブレーカと、これら面材及びブレーカにて囲繞される空間に充填された断熱材とから成り、
前記ガスケットは、前記庫口枠に当接する袋状部と、この袋状部の庫内側に位置して前記本体側に突出する軟質ヒレ部とを有し、
前記軟質ヒレは、前記ブレーカに一体成形され、先端が前記ガスケットの軟質ヒレ部及び庫口枠に当接することを特徴とする請求項５に記載の貯蔵庫。
【発明の詳細な説明】
【技術分野】
【０００１】
本発明は、本体の開口縁部に取り付けられた庫口枠と、開口を開閉自在に閉塞する扉と、この扉の内面周囲に取り付けられ、庫口枠に当接するガスケットとを備えた貯蔵庫に関する。
【背景技術】
【０００２】
従来この種の貯蔵庫は、本体の開口縁部に庫口枠を取り付け、この開口は扉にて開閉自在に閉塞すると共に、この庫口枠には、金属製の当接板を設け、扉の庫内側周縁部に設けられたガスケットを当接させている。そして、このガスケットと当接する当接板の内側には、結露防止用のヒータが収納されている（例えば特許文献１参照）。
【０００３】
ここで、図７を参照して従来の当該庫口枠の構成について説明する。貯蔵庫を構成する本体１００の開口１０１縁部には、扉枠断熱材１０２を介して硬質樹脂製の庫口枠１０３がネジによって固定されている。この庫口枠１０３の前辺１０３Ａの前面開口１０１側には、扉１０５の庫内側周縁部に設けられたガスケット１０６と対向する位置に結露防止用ヒータ１０８を収納するヒータ保持部１０７が形成されている。そして、このヒータ保持部１０７は、ガスケット１０６側に開口しており、当該開口は、ステンレス等から成る当板１０９によって着脱自在に閉塞されている。
【０００４】
これにより、結露防止用ヒータ１０８の通電によって当板１０９が加熱され、ガスケット１０６側に生じる結露の発生が抑制される。
【先行技術文献】
【特許文献】
【０００５】
【特許文献１】特開平８−１４５５４０号公報
【発明の概要】
【発明が解決しようとする課題】
【０００６】
しかしながら、上述した如き従来技術では、庫口枠１０３のガスケット１０６との当接面より庫外側の部分の本体１００側となる箇所１２０は、庫内側に位置する部分からの冷熱の伝導によって冷やされやすく、外気に晒されることで、結露が発生しやすいという問題があった。特に、本体１００の開口１０１縁部に、庫口枠１０３が嵌め込まれ、ネジ止めにより固定されるものであったため、本体１００の外面と庫口枠１０３との間の隙間から庫内の冷気が漏洩し、庫口枠１０３周辺の係る本体１００の外面材１００Ａにも結露が発生しやすいという問題があった。
【０００７】
これに対し、従来の構成では、ヒータ保持部１０７内に収納されるヒータ１０８は、扉１０５のガスケット１０６と当板１０９との当接面を加熱するものであったため、係る庫口枠１０３のガスケット１０６との当接面より庫外側の部分の本体１００側となる箇所１２０やその周辺の本体１００の外面材１００Ａを加熱することができない。そのため、設置現場では、設置環境の外気条件を変更したり、直接、当該部分に送風機による風を送ることによって、結露の発生を抑制しなければ成らないという問題があった。
【０００８】
本発明は、従来の技術的課題を解決するために成されたものであり、庫口枠のガスケットとの当接面より庫外側の部分の本体側となる箇所やその周辺の本体の外面材に生じる結露を効果的に抑制することができる貯蔵庫を提供する。
【課題を解決するための手段】
【０００９】
上記課題を解決するために、本発明の貯蔵庫は、本体の開口縁部に取り付けられた庫口枠と、開口を開閉自在に閉塞する扉と、この扉の内面周囲に取り付けられ、庫口枠に当接するガスケットとを備えたものであって、庫口枠の、ガスケットが当接する位置よりも庫外側に位置する部分における本体側に、結露防止用のヒータを庫外側より収納可能なヒータ収納部を形成したことを特徴とする。
【００１０】
請求項２の発明は、上記において、ヒータ収納部は庫外側に開口しており、この開口を開閉自在に閉塞するカバーを設けたことを特徴とする。
【００１１】
請求項３の発明は、上記において、カバーは、一端のヒンジ部にて庫口枠に一体に形成され、他端には庫口枠に係脱自在に係合する係合部を備えることを特徴とする。
【００１２】
請求項４の発明は、上記において、ヒンジ部は、係合部よりも本体側に位置することを特徴とする。
【００１３】
請求項５の発明は、上記各発明において、扉には、ガスケットよりも庫内側に位置して先端が当該ガスケットに当接する軟質ヒレを設けたことを特徴とする。
【００１４】
請求項６の発明は、上記において、扉は、外面材と、内面材と、これら面材を接続する樹脂製ブレーカと、これら面材及びブレーカにて囲繞される空間に充填された断熱材とから成り、ガスケットは、庫口枠に当接する袋状部と、この袋状部の庫内側に位置して本体側に突出する軟質ヒレ部とを有し、軟質ヒレは、ブレーカに一体成形され、先端がガスケットの軟質ヒレ部及び庫口枠に当接することを特徴とする。
【発明の効果】
【００１５】
本発明によれば、本体の開口縁部に取り付けられた庫口枠と、開口を開閉自在に閉塞する扉と、この扉の内面周囲に取り付けられ、庫口枠に当接するガスケットとを備えた貯蔵庫において、庫口枠の、ガスケットが当接する位置よりも庫外側に位置する部分における本体側に、結露防止用のヒータを庫外側より収納可能なヒータ収納部を形成したことにより、当該ヒータ収納部に結露防止用のヒータを収納して後付けすることができ、当該庫口枠の、ガスケットが当接する位置よりも庫外側に位置する部分における本体側を加熱することができる。
【００１６】
庫内側から庫外側に渡って設けられる庫口枠は、庫内側からの冷熱が庫外側に伝達されることによって外気に晒される庫外側が冷やされることとなるが、当該結露防止用ヒータによって当該部分を加熱することができ、効果的に当該部分の結露を防止することができる。また、庫口枠の庫外側が冷却されることで、その付近の本体の外面材も冷却されやすくなるが、当該結露防止用ヒータによって当該部分をも加熱することができ、結露を防止することができる。
【００１７】
また、請求項２の発明によれば、上記に加えて、ヒータ収納部は庫外側に開口しており、この開口を開閉自在に閉塞するカバーを設けたことにより、ヒータ収納部内に結露防止用のヒータを収納した場合、当該ヒータはカバーによって被覆されるため、外観の向上及び、感電防止を実現することができるようになる。
【００１８】
請求項３の発明によれば、上記に加えて、カバーは、一端のヒンジ部にて庫口枠に一体に形成され、他端には庫口枠に係脱自在に係合する係合部を備えることにより、カバーを開閉してヒータ収納部に結露防止用ヒータを脱着する際、当該カバーは、庫口枠に連結されているため、紛失する不都合を回避することができる。
【００１９】
請求項４の発明によれば、上記に加えて、ヒンジ部は、係合部よりも本体側に位置するので、庫口枠と本体の外面材との間にコーキングする場合、カバーの係合部までもコーキングされてしまい、カバーを開放することができなくなる不都合を解消することができる。
【００２０】
請求項５の発明によれば、上記各発明に加えて、扉には、ガスケットよりも庫内側に位置して先端が当該ガスケットに当接する軟質ヒレを設けたことにより、当該ガスケットと軟質ヒレとの間に空気層を形成することが可能となる。
【００２１】
これにより、庫内側とガスケットとの間に空気層を増やすことができ、断熱効果を高めることが可能となる。
【００２２】
請求項６の発明によれば、上記に加えて、扉は、外面材と、内面材と、これら面材を接続する樹脂製ブレーカと、これら面材及びブレーカにて囲繞される空間に充填された断熱材とから成り、ガスケットは、庫口枠に当接する袋状部と、この袋状部の庫内側に位置して本体側に突出する軟質ヒレ部とを有し、前記軟質ヒレは、ブレーカに一体成形され、先端がガスケットの軟質ヒレ部及び庫口枠に当接することにより、扉と庫口枠との間には、ガスケットの袋状部内と、袋状部と軟質ヒレ部及びこれらが当接する庫口枠との間、及び、軟質ヒレ部と軟質ヒレとの間で、３つの空気断熱層を形成することができる。
【００２３】
これにより、扉と庫口枠との間の断熱効果を確実に高めることが可能となる。
【図面の簡単な説明】
【００２４】
【図１】本発明の貯蔵庫の実施例としてのプレハブ冷凍冷蔵庫の斜視図である。
【図２】扉の非枢支側の扉及び庫口枠の部分拡大断面図である。
【図３】扉の枢支側の扉及び庫口枠の部分拡大断面図である。
【図４】庫口枠の結露防止用ヒータ収納前の状態を示す部分拡大図である。
【図５】庫口枠のカバー開放状態を示す部分拡大図である。
【図６】庫口枠の結露防止用ヒータ収納状態を示す部分拡大図である。
【図７】従来の扉及び庫口枠の部分拡大断面図である。
【発明を実施するための形態】
【００２５】
以下、本発明の実施の形態について詳細に説明する。図１は本発明の貯蔵庫の実施例としてのプレハブ冷凍冷蔵庫Ｐの斜視図、図２は非枢支側の扉２０及び庫口枠５の部分拡大断面図、図３は枢支側の扉２０及び庫口枠５の部分拡大断面図をそれぞれ示している。プレハブ冷凍冷蔵庫Ｐの本体１は複数枚の断熱プレハブパネル２を接合して組み立てられており、その前面を構成する断熱プレハブパネル２には開口３が形成され、この開口３の周縁部には断面略Ｌ字状の庫口枠５がネジ６、７にて固定されている。
【００２６】
断熱プレハブパネル２は鋼板製の内面材２Ａと、同じく鋼板製の外面材２Ｂと、これら面材２Ａ、２Ｂ端部を相互に接続するブレーカ１３と、これら面材２Ａ、２Ｂとブレーカ１３間に発泡充填された断熱材１４から構成されている。また、前記ブレーカ１３には相対向する辺に凸部１３Ａや凹部１３Ｂが形成され、各パネル２を相互に接合する際にはこれら凸部１３Ａや凹部１３Ｂを係合させる。
【００２７】
一方、庫口枠５の内辺５Ｂ（即ち、断熱プレハブパネル２の端部に対向する辺）の内面には凹所１５が形成されており、この凹所１５内には断熱プレハブパネル２のブレーカ１３の前記凸部１３Ａが進入できるように構成されている。また、断熱プレハブパネル２のブレーカ１３の前記凹部１３Ｂが対応する場合には、この凹部１３Ｂと凹所１５とで作られる空間に硬質発泡樹脂製のスペーサ１６を挿入する。また、庫口枠５を断熱プレハブパネル２に固定する前記ネジ６、７は、このスペーサ１６を避け、断熱プレハブパネル２の内面材２Ａ及び外面材２Ｂに螺合させている。
【００２８】
そして、この庫口枠５が設けられた本体１の前記開口３は、扉２０にて開閉自在に閉塞される。この扉２０は、ヒンジ２１、２１にて庫口枠５の一側の前辺５Ａに回動自在に枢支されている。２８は、この扉２０の非枢支側の前面に設けられるラッチであり、本体１側に設けられるラッチ受け２９と対を成して開閉自在に扉２０の閉鎖状態を保持可能とする。
【００２９】
この扉２０は金属製の外面材２２及び内面材２３と、これら両面材２２、２３の端部が両端に係合されてネジ２４にて固定されることにより、それらを接続する樹脂製ブレーカ２５と、これら外面材２２、内面材２３及びブレーカ２５で構成する空間内に発泡充填された断熱材２６から成る。
【００３０】
前記ブレーカ２５の略中央には後面（断熱プレハブパネル２に対向する面。具体的には、庫口枠５の前辺５Ａに対向する面）に開放する溝２７が形成されており、この溝２７には、ガスケット４の鏃部４１が挿入係合されている。これにより、ガスケット４は、扉２０の庫内側の周縁部（扉２０の内面周囲）に取り付けられる。
【００３１】
このガスケット４は、軟質樹脂にて構成されており、扉２０に対向する側には上記鏃部４１が形成されていると共に、断熱プレハブパネル２に対向する面、この場合、庫口枠５の前辺５Ａに対向する面には、当該庫口枠５の前辺５Ａに当接する袋状部４２と、この袋状部４２の庫内側に位置して本体１側に突出する軟質ヒレ部４３とが一体に形成されている。袋状部４２は、長手方向に渡って延在する袋状を呈している。袋状部４２及び軟質ヒレ部４３は、いずれも可撓性を有しており、扉２０が閉塞された際、当該袋状部４２及び軟質ヒレ部４３は、変形しながら庫口枠５の前辺５Ａに密着して当接する。
【００３２】
そして、このガスケット４が取り付けられるブレーカ２５には、当該ガスケット４よりも庫内側に位置して先端が当該ガスケット４の軟質ヒレ部４３の先端に当接する軟質ヒレ４４が当該ブレーカ２５に一体成形されている。
【００３３】
これにより、扉２０が閉塞された状態では、図２及び図３に示すように、ガスケット４は、袋状部４２が庫口枠５の前辺５Ａ（当板１１）に変形しながら密着して当接し、軟質ヒレ部４３は、庫口枠５の前辺５Ａに変形しながら当接することにより、袋状部４２と庫口枠５の前辺５Ａとの間に空気断熱層４５を形成する。そして、ガスケット４よりも庫内側に位置してブレーカ２５に一体に成形された軟質ヒレ４４は、その先端が当該ガスケット４の軟質ヒレ部４３の先端及び庫口枠５の前辺５Ａ（若しくは角隅部）に変形しながら当接することにより、当該軟質ヒレ部４３との間に空気断熱層４６を形成する。
【００３４】
従って、扉２０と庫口枠５との間には、ガスケット４の袋状部４２内の空気断熱層と、袋状部４２と軟質ヒレ部４３及びこれらが当接する庫口枠５との間の空気断熱層４５と軟質ヒレ部４３と軟質ヒレ４４との間の空気断熱層４６の３つの空気断熱層を形成することができる。これにより、扉２０と庫口枠５との間の断熱効果を確実に高めることが可能となる。
【００３５】
一方、上記庫口枠５は、硬質塩化ビニルの二重押出成形にて構成されており、その内部には長手方向に延在する複数の中空室５０が形成されている。この庫口枠５の前辺５Ａの前面開口３側には、上述した如きガスケット４に対向する位置に複数条のヒータ保持部８が形成されており、このヒータ保持部８の近傍内側には収納部９が押出成形と同時に長手方向に渡って形成されている。これらヒータ保持部８と収納部９は前面側（後述するガスケット４側）に開放しており、ヒータ保持部８内には図４の如く結露防止用ヒータ１０が前面側に露出させた状態で保持され、収納部９内にはこのヒータ１０の図示しない過熱防止器やリード線が収納されている。
【００３６】
そして、係るヒータ保持部８と収納部９を被覆してステンレス等から成る当板１１が取り付けられる。この当板１１は平板状を呈しており、その外側縁は前記収納部９の外側における庫口枠５の前辺５Ａに形成された内向きの溝１２内に挿入係合されている。  
【００３７】
他方、庫口枠５の前辺５Ａであって、ガスケット４が当接する位置よりも庫外側に位置する部分における本体１側、即ち、前辺５Ａの庫外側の側部５Ｃには、扉２０側とは反対側、即ち、庫外側に向けて開口するヒータ収納部３０が形成されている。このヒータ収納部３０は、上記ヒータ保持部８と同様に長手方向に渡って形成されている。このヒータ収納部３０の近傍には、同じく、扉２０側とは反対側、即ち、庫外側に向けて開口する収納部３３が長手方向に渡って形成されている。このヒータ収納部３０は、後付により長手方向に渡って結露防止用ヒータ３１を収納可能とされている（図６参照）。収納部３３内には、結露防止用ヒータ３０の図示しない過熱防止器やリード線が収納可能とされている。
【００３８】
そして、この庫口枠５の前辺５Ａの庫外側側部５Ｃには、当該ヒータ収納部３０及び収納部３３の開口３０Ａを開閉自在に閉塞するカバー３２が設けられている。本実施例において当該カバー３２は、開口３０Ａの本体１側端部に軟質塩化ビニルにて構成されたヒンジ部３４にて回動自在に庫口枠５に一体に形成されている。このカバー３２のヒンジ部３４が構成される一端とは反対側の他端には、庫口枠５側に突出する係合部（突起）３５が形成され、当該係合部３５は、庫口枠５の側部５Ｃの前記開口３０Ａ縁部に形成された係合凹所３６に係脱自在とされている。
【００３９】
係る構成により、当該ヒータ収納部３０に結露防止用ヒータ３１を取り付ける場合には、先ず、図４の状態からカバー３２の係合部３５側をヒンジ部３４を中心として開放方向に回動させる。これにより、図５に示す如くヒータ収納部３０及び収納部３３の開口３０Ａが開放される。
【００４０】
この状態で、ヒータ収納部３０に結露防止用ヒータ３１を収納し、収納部３３に過熱防止器やリード線を収納し、ヒンジ部３４を中心としてカバー３２を閉塞方向に回動させる（図６の状態）。
【００４１】
これにより、庫内側から庫外側に渡って設けられる庫口枠５は、庫内側からの冷熱が庫外側に伝達されることによって外気に晒される庫外側が冷やされることとなるが、当該結露防止用ヒータ３１を通電することによって当該部分、特に、カバー３２が設けられる庫口枠５の前辺５Ａ庫外側側部５Ｃを加熱することができ、効果的に当該部分の結露を防止することができる。
【００４２】
また、庫口枠５の庫外側が冷却されることで、その付近の本体１の外面材２Ｂも冷却されやすくなるが、当該結露防止用ヒータ３１を通電することによって当該部分をも加熱することができ、結露を防止することができる。
【００４３】
このように、本実施例では、庫口枠５のヒータ収納部３０に結露防止用ヒータ３１を収納して後付けすることができ、当該庫口枠５の、ガスケット４が当接する位置よりも庫外側に位置する部分における本体１側を加熱することができる。そのため、使用状況例えば、当該部分にまで冷熱が伝導しやすい冷凍使用とした場合において、後付にて結露防止用ヒータ３１を設けることができ、利便性の向上を図ることができる。
【００４４】
また、本実施例において、ヒータ収納部３０及び収納部３３は、庫外側に開口しており、当該開口は、カバー３２にて開閉自在に閉塞されるため、ヒータ収納部３０内や収納部３３内に結露防止用ヒータ３１やリード線等を収納した場合、これらをカバー３２によって被覆することができ、外観の向上及び、感電防止を実現することができるようになる。
【００４５】
更に、本実施例では、カバー３２の一端は、可撓性材料にて構成されたヒンジ部３４にて庫口枠５に一体形成されているため、カバー３２を開閉してヒータ収納部３０等にに結露防止用ヒータ３１を脱着する際、当該カバー３２は、庫口枠５に連結されているため、紛失する不都合を回避することができる。
【００４６】
このとき、ヒンジ部３４は、カバー３２の開放側であって開閉自在に閉塞状態を保持する係合部３５よりも本体１側に位置するので、例えば、庫口枠５と本体１の外面材２Ｂとの間に冷気漏洩を防止するためコーキング（コーキング剤３７）を行った場合であっても、当該コーキング剤３７は、カバー３２のヒンジ部３４側に位置することとなるため、当該カバー３２の係合部３５までもコーキングされてしまい、カバー３２を開放することができなくなる不都合を解消することができる。
【００４７】
また、本実施例では、上述したように結露防止用ヒータ３１は、カバー３２を開閉することで、容易に庫口枠５に形成されたヒータ収納部３０より着脱自在とされているため、当該ヒータ３１を交換する際にも、庫口枠５を断熱プレハブパネル２から取り外す必要がなく、メンテナンス作業性も著しく向上する。
【符号の説明】
【００４８】
Ｐ    プレハブ冷凍冷蔵庫（貯蔵庫）
１    本体
２    断熱プレハブパネル
２Ａ  内面材
２Ｂ  外面材
３    開口
４    ガスケット
５    庫口枠
５Ａ  前辺
５Ｃ  前辺庫外側側部
２０    扉
２１    ヒンジ
２２    外面材
２３    内面材
２５    樹脂製ブレーカ
２６    断熱材
３０    ヒータ収納部
３０Ａ  開口
３１    結露防止用ヒータ
３２    カバー
３３    収納部
３４    ヒンジ部
３５    係合部
３６    係合凹所
３７    コーキング剤
４１    鏃部
４２    袋状部
４３    軟質ヒレ部
４４    軟質ヒレ
４５、４６  空気断熱層
５０    中空室
【図１】
2011094917.tif 000003
【図２】
2011094917.tif 000004
【図３】
2011094917.tif 000005
【図４】
2011094917.tif 000006
【図５】
2011094917.tif 000007
【図６】
2011094917.tif 000008
【図７】
2011094917.tif 000009